(57)【特許請求の範囲】
【請求項１】
引違いガラス戸の天板２手前側に上部レール６を取り付ける折り曲げ補強部材からなる上部レール収納部５を設け、該上部レール収納部５に滑子８を係合する係合取付孔１０を形成し、上部レール６には該係合取付孔１０に対応する位置に滑子用の係合孔９を形成し、前記ガラス戸用の滑子８は天板と固定するための略中間部に形成したツバ部１１と舌片１５を有し、上部レール６と固定するために下向きの舌片１２に一体的に形成した係止部材１３で係合取り付けできるように設け、この滑子８によって、上部レール６を補強部材の上部レール収納部５に固定することを特徴とする引違いガラス戸のはずれ防止装置。
【請求項２】
ガラス戸用の滑子８の取付け位置を、ガラス戸が取り付け、取り外しができる間隔に１ヶ所形成して設けたことを特徴とする請求項１記載の引違いガラス戸のはずれ防止装置。
【請求項３】
ガラス戸に取付けるガラス戸用の滑子８のうち、保管庫本体１の左右両端に位置する滑子８は、一体的にサイドストッパ１４を形成したものを取り付けたことを特徴とする請求項１または請求項２記載の引違いガラス戸のはずれ防止装置。
【請求項４】
抵抗ラッチ１６を一体的に形成したガラス戸用の滑子８であることを特徴とする請求項１または請求項２記載の引違いガラス戸のはずれ防止装置。
【発明の詳細な説明】
【０００１】
【産業上の利用分野】
本発明は、保管収納庫、書棚等における引違いガラス戸のはずれ防止装置に関するものである。
【０００２】
【従来の技術】
従来の引違いガラス戸は図示されていないが、保管庫本体の天板手前側補強部材に先ず、ビス、ボルト、あるいは溶接等により上部レールを固定する。この上部レールのレール部を深溝にすることによって、先ずガラス戸を斜めに傾斜させながら、上部レールの深溝の上方一ぱい迄、押し込んで、垂直にして下部レールの浅溝に係合するだけのものが存在している。
【０００３】
【発明が解決しようとする課題】
しかしながら、前記従来の引違いガラス戸は、保管庫本体の天板上部の手前側補強部材に上部レールを先ず何らかの固定手段で固定しなければならず、しかも、はずれ防止についてはなんら考慮されていないため、しばしばガラス戸がはずれてしまい破損させるという問題があった。
【０００４】
本発明は、この事情に鑑み、上部レールに形成した滑子取り付け用の係合孔を利用して、滑子を取り付け、同時に、前記係合孔に対応する部位に、保管庫本体の天板上部補強部材の手前側幅方向に形成した上部レールを取付ける折り曲げ上部レール収納部に係合取付孔を穿設し、天板に上部レールと滑子を連結係合させ、上部レールの係合孔から突出した部分を滑子として作用させるものである。これは滑子を取り付けた上部レールを保管庫本体の天板の折り曲げ上部レール収納部に穿設した係合取付孔に押し込み係止するもので、はずれ防止と取付作業を簡易にして上記の問題点を解決した引違いガラス戸のはずれ防止装置を提供することを目的とするものである。
【０００５】
【課題を解決するための手段】
本発明は、前記課題を解決するために、次のような技術手段を採用した。請求項１記載の発明においては、引違いガラス戸の天板手前側に上部レールを取り付ける折り曲げ補強部材からなる上部レール収納部を設け、該上部レール収納部に滑子を係合する係合取付孔を形成し、上部レールには該係合取付孔に対応する位置に滑子用の係合孔を形成し、前記ガラス戸用の滑子は天板と固定するための略中間部に形成したツバ部と舌片を有し、上部レールと固定するために下向きの舌片に一体的に形成した係止部材で係合取り付けできるように設け、この滑子によって、上部レールを補強部材の上部レール収納部に固定するという技術手段を採用した。
【０００６】
請求項２記載の発明においては、請求項１の発明に加えて、ガラス戸用の滑子の取付け位置を、ガラス戸が取り付け、取り外しができる間隔に１ヶ所形成して設けるという技術手段を採用した。
【０００７】
請求項３記載の発明においては、請求項１または請求項２の発明に加えて、ガラス戸に取付けるガラス戸用の滑子のうち、保管庫本体の左右両端に位置する滑子は、一体的にサイドストッパを形成したものを取り付けるという技術手段を採用した。
【０００８】
請求項４記載の発明においては、請求項１または請求項２の発明に加えて、抵抗ラッチを一体的に形成したガラス戸用の滑子であるという技術手段を採用した。
【０００９】
【作用】
本発明は、以上の技術手段を採用したことにより、上部レールを先ず保管庫本体の天板補強部に固定し、さらに、滑子をガラス戸に取り付けるのではなく、滑子によって、上部レールを保管庫本体の天板補強部材からなる上部レール収納部に取り付けることによって、滑子の取り付け、上部レールの取り付けが極めて簡易になり、作業時間も大幅に短縮できる。
【００１０】
【実施例】
次に、本発明の一実施例を添付図面で詳細に説明する。
図１に示す実施例は、本発明に係る引違いガラス戸を備えた保管庫を示す概略斜視図で、１は保管庫本体、２は天板、３は両側板、４はガラス戸をそれぞれ示すものである。
【００１１】
次に、図２〜図４に基づいて本発明の引違いガラス戸のはずれ防止装置の一実施例について詳細に説明する。
【００１２】
図２〜図４に示されているものからも理解できる通り、第１実施例として保管庫本体１の天板２手前側に設けた折り曲げ形成した補強部材からなる上部レール収納部５に上部レール６が係合できるものである。前記上部レール６は、２枚の引違いガラス戸４の場合には、断面略Ｅ形状をしており、このＥ形状のものを時計方向に９０゜回転させて取り付けるものである。この上部レール６の２本の溝部７にガラス戸４を取り付け、引違いで摺動させて開閉するものである。そして滑子８はガラス戸４には取り付けず、上部レール６の２本の溝部７に穿設した係合孔９に舌片１２に設けた係止部材１３により弾性力を利用して係合し、両舌片１２を突出させて、ガラス戸４をスライドさせる上で円滑にできるようにしたものである。
【００１３】
そして、この滑子８の取り付け間隔は、図４に示す１実施例のようにガラス戸４の幅より若干広い間隔の部分を中間部に設けたもの、あるいは左右どちらかに、このガラス戸４の幅より若干広い間隔の部分をずらす等して取り付けたものが考えられる。また、滑子８の取り付け個数は、ガラス戸４の取り付け、取り外し部分になるガラス戸４の幅より若干広い間隔の部分の他はガラス戸４の上縁が少なくとも１個は必ず接して滑動できるように設けられている。
【００１４】
次に、滑子８が上部レール６の係合孔９に舌片１２の係止部材１３で係合取り付けられると、図３からも理解できるように保管庫本体１の天板２の手前側に形成した補強部材からなる上部レール収納部５を折り曲げ形成し、前記滑子８の取り付け位置に対応した場所に滑子８の係合取付孔１０を穿設し、この係合取付孔１０に嵌合するように上部レール６と同時に滑子８を弾性変形させて押し込み、滑子８の突出部１５で係合固定するものである。この際、滑子８のツバ部１１が上部レール収納部５の下面と衝突して、結果的に突出部１５とツバ部１１で挟み付けるように固定される。
【００１５】
ここで、前記滑子８の一実施例の形状を図２、図３に基づいて詳細に説明する。この滑子８は、本来の滑子８としての役目と、上部レール６の固定具を兼用するもので合成樹脂製等の弾性材を使用して形成したもので、略コ字形を反時計方向に９０゜回転したような縦断面をしており、下向きの舌片１２に係止部材１３を一体的に形成し、この下向きの舌片１２を上部レール６に穿設した係合孔９に挿入固定し、この滑子８を固定した上部レール６を保管庫本体１に形成した上部レール収納部５に穿設した係合取付孔１０に嵌合挿入して固定する。この際、滑子８に形成した突出部１５を弾性変形させて前記係合取付孔１０にこじ入れて、その突出部１５と滑子８の略中間部に形成したツバ部１１で挟み付けるように係合取付孔１０から外れないように固定されるものである。なお、保管庫本体１の底部には下部レールが形成されていることはいうまでもない。
【００１６】
次に図５に基づいて、特に両サイドに使用する滑子８の第２実施例を説明する。
図５からも理解できるように、基本的には前記した第１実施例の滑子８と同様なもので、特に違う点はＬ字を時計方向に９０゜回転したようなカギ型をしたサイドストッパ１４を一体的に形成したもので、他の点は全て第１実施例で説明した滑子８と同一なので詳細な説明は省略する。
【００１７】
次に、図６に基づいて滑子８の第３実施例を説明する。
図６からも理解できるようにガラス戸４の摺動を規制するようにした、抵抗ラッチ１６を上部レール６の両溝部７に突出できるように円弧片を滑子８に一体的に形成したものである。この第３実施例も、他の点は第１実施例の滑子８と同一なので詳細な説明は省略する。なお、ガラス戸４の上端部には抵抗ラッチ１６が係合するような窪みが形成されている。
【００１８】
次に図７に基づいて滑子８が上部レール６を固定するものでない他の第４実施例を説明する。図７に示すものからも理解できるように、該上部レール６には係合孔９が穿設されている。該係合孔９には滑子８の上部に突設した突起部１７が係合するように形成されている。そして前記滑子８には、合成樹脂製で断面略コ字形を９０゜回転して取り付けるようにガラス戸４を挟持する両側に舌片１２を備え、上部に前記上部レール６に穿設した係合孔９に係合する突起部１７が突設されている。なお、滑子８をガラス戸４に取り付けるのには図７に示すように、ガラス戸４に丸穴１８を穿設してこの丸穴１８に係合するように舌片１２の内側に突起を形成して滑子８の弾性力で係止するものである。また、この他に接着材で固定することも可能である。
【００１９】
このようにガラス戸４の上部に複数個の滑子８を取り付け、引違い操作ができる上部レール６に係合して、通常は、滑子８の上部突起部１７が上部レール６の下面をスライドするようになっている。このガラス戸４を取り外したり、取り付けたりする場合は、上部レール６に穿設した係合孔９に突起部１７を合致させて、この場で上方に持ち上げて、下部レールから外し、取り外したり、取り付けることができる。
【００２０】
次に、本発明の引違いガラス戸のはずれ防止装置の作動について説明する。
図４に示すように、ガラス戸４の幅より若干広い間隔で取り付けられた滑子８の間を利用してガラス戸４を取り付け、取り外すようにしたもので、特にここでは取り付ける際について説明すると、図４ではガラス戸４を中間部で取り付けるもので、ガラス戸４を少し斜めにして持ち上げながら上部レール６の溝部７に挿入セットする。この際、滑子８がない部分で行うので、溝部７の奥深くに持ち上げ垂直にして下すと下部レールに係合し、スライドさせると滑子８を介して移動することができる。また、上部レール６と滑子８の取り付けが、滑子８の弾性力を利用してワンタッチで取り付けられることは前記説明でも解る通りである。
【００２１】
【発明の効果】
本発明は、以上の構成に基づいて次の効果を得ることができる。
（１）滑子を上部レールと保管庫本体との固定に利用することによって、はずれ防止と組立作業を簡素化したものである。
【００２２】
（２）サイドストッパあるいは抵抗ラッチを一体的に滑子に形成することによって、組立作業の簡素化に加えて、ストッパ、抵抗ラッチの役目をするものを別個に設ける必要のないものである。
【図面の簡単な説明】
【図１】本発明の１実施例における引違いガラス戸を備えた保管庫の外観斜視図である。
【図２】本発明の要部である滑子と上部レールの取り付け状態を示す第１実施例の要部概略斜視図である。
【図３】前記実施例における要部である滑子と上部レールの取り付け状態を示す分解断面図である。
【図４】前記実施例における要部である滑子の取り付け位置を示す正面図である。
【図５】第２実施例におけるサイドストッパ付の滑子の斜視図である。
【図６】第３実施例における抵抗ラッチ付の滑子の斜視図である。
【図７】第４実施例の上部レールとガラス戸と滑子の取り付け関係を示す斜視図である。
【符号の説明】
１・・・・保管庫本体                    ２・・・・天板
３・・・・両側板                        ４・・・・ガラス戸
５・・・・上部レール収納部              ６・・・・上部レール
７・・・・溝部                          ８・・・・滑子
９・・・・係合孔                      １０・・・・係合取付孔
１１・・・・ツバ部                      １２・・・・舌片
１３・・・・係止部材                    １４・・・・サイドストッパ
１５・・・・突出部                      １６・・・・抵抗ラッチ
１７・・・・突起部                      １８・・・・丸穴
【図１】
0003601873.tif 000002
【図２】
0003601873.tif 000003
【図３】
0003601873.tif 000004
【図４】
0003601873.tif 000005
【図５】
0003601873.tif 000006
【図６】
0003601873.tif 000007
【図７】
0003601873.tif 000008